(57)【特許請求の範囲】
【請求項１】
輝度センサと接続して該輝度センサの測定特性を示す輝度変換特性データを利用して自装置の輝度を補正する表示装置と接続し、該表示装置の輝度を補正する輝度補正装置において、
輝度計を接続し、
前記表示装置において表示される所定画像の輝度設定を所定範囲で変化させる表示制御手段と、
前記表示装置において前記所定画像の輝度を前記輝度センサが測定した測定結果を元に、前記輝度変換特性データから読み出される該測定結果に対応する第１の輝度値を、前記表示装置から取得するとともに、前記輝度計により前記所定画像の輝度を測定して得られる第２の輝度値を、前記輝度計から取得する取得手段と、
前記第１の輝度値及び前記第２の輝度値を元に、前記輝度変換特性データを補正する輝度変換特性補正データを算出する算出手段と、
前記輝度変換特性データを前記輝度変換特性補正データにより補正する補正手段と、
を備えることを特徴とする輝度補正装置。
【請求項２】
前記補正手段により前記輝度変換特性データを補正した後に、任意の時間が経過したか否かを判別する判別手段を更に備え、
前記判別手段によって前記任意の時間が経過したと判別された場合に、前記輝度変換特性データを補正することを特徴とする請求項１記載の輝度補正装置。
【請求項３】
複数の表示装置を接続し、
前記算出手段は、前記複数の表示装置毎に、前記第１の輝度値及び前記第２の輝度値を元に輝度変換特性補正データを算出し、
前記補正手段は、前記複数の表示装置毎に算出された輝度変換特性補正データにより、前記複数の各表示装置の前記輝度変換特性データを補正することを特徴とする請求項１記載の輝度補正装置。
【請求項４】
輝度センサと接続して該輝度センサの測定特性を示す輝度変換特性データを利用して自装置の輝度を補正する複数の表示装置と接続し、該複数の各表示装置の輝度を補正する輝度補正装置において、
前記輝度センサにより前記複数の各表示装置において表示される所定画像の輝度を測定した測定結果を元に前記輝度変換特性データを参照して得られる輝度値が、同一の基準輝度値となるように設定するとともに、前記複数の各表示装置において表示される前記所定画像の輝度設定を所定範囲で変化させる表示制御手段と、
前記複数の各表示装置の輝度が目視により調整された状態において、前記複数の各表示装置において前記所定画像の輝度を前記輝度センサが測定した測定結果を元に、前記輝度変換特性データに基づいて得られる調整輝度値を、前記複数の各表示装置から取得する取得手段と、
前記調整輝度値及び前記基準輝度値を元に、前記複数の表示装置毎の輝度変換特性補正データを算出する算出手段と、
前記複数の表示装置毎に算出された輝度変換特性補正データにより、前記複数の各表示装置の輝度変換特性データを補正する補正手段と、
を備えることを特徴とする輝度補正装置。
【請求項５】
輝度センサと接続して該輝度センサの測定特性を示す輝度変換特性データを利用して自装置の輝度を補正する表示装置と接続するとともに、輝度計と接続し、該表示装置の輝度を補正する輝度補正装置における輝度補正方法であって、
前記表示装置において表示される所定画像の輝度設定を所定範囲で変化させる工程と、
前記表示装置において前記所定画像の輝度を前記輝度センサが測定した測定結果を元に、前記輝度変換特性データから読み出される該測定結果に対応する第１の輝度値を、前記表示装置から取得するとともに、前記輝度計により前記所定画像の輝度を測定して得られる第２の輝度値を、前記輝度計から取得する工程と、
前記第１の輝度値及び前記第２の輝度値を元に、前記輝度変換特性データを補正する輝度変換特性補正データを算出する工程と、
前記輝度変換特性データを前記輝度変換特性補正データにより補正する工程と、
を含むことを特徴とする輝度補正方法。
【請求項６】
輝度センサと接続して該輝度センサの測定特性を示す輝度変換特性データを利用して自装置の輝度を補正する表示装置と接続するとともに、輝度計と接続し、該表示装置の輝度を補正するコンピュータに、
前記表示装置において表示される所定画像の輝度設定を所定範囲で変化させる機能と、
前記表示装置において前記所定画像の輝度を前記輝度センサが測定した測定結果を元に、前記輝度変換特性データから読み出される該測定結果に対応する第１の輝度値を、前記表示装置から取得するとともに、前記輝度計により前記所定画像の輝度を測定して得られる第２の輝度値を、前記輝度計から取得する機能と、
前記第１の輝度値及び前記第２の輝度値を元に、前記輝度変換特性データを補正する輝度変換特性補正データを算出する機能と、
前記輝度変換特性データを前記輝度変換特性補正データにより補正する機能と、
を実現させるためのプログラム。
【請求項７】
輝度センサと接続して該輝度センサの測定特性を示す輝度変換特性データを利用して自装置の輝度を補正する表示装置と接続するとともに、輝度計と接続し、該表示装置の輝度を補正するコンピュータが実行可能なプログラムを格納した記憶媒体であって、
前記表示装置において表示される所定画像の輝度設定を所定範囲で変化させるためのプログラムコードと、
前記表示装置において前記所定画像の輝度を前記輝度センサが測定した測定結果を元に、前記輝度変換特性データから読み出される該測定結果に対応する第１の輝度値を、前記表示装置から取得するとともに、前記輝度計により前記所定画像の輝度を測定して得られる第２の輝度値を、前記輝度計から取得するためのプログラムコードと、
前記第１の輝度値及び前記第２の輝度値を元に、前記輝度変換特性データを補正する輝度変換特性補正データを算出するためのプログラムコードと、
前記輝度変換特性データを前記輝度変換特性補正データにより補正するためのプログラムコードと、
を含むプログラムを格納したことを特徴とする記憶媒体。
【請求項８】
輝度センサと接続して該輝度センサの測定特性を示す輝度変換特性データを利用して自装置の輝度を補正する複数の表示装置と接続し、該複数の各表示装置の輝度を補正する輝度補正方法において、
前記輝度センサにより前記複数の各表示装置において表示される所定画像の輝度を測定した測定結果を元に前記輝度変換特性データを参照して得られる輝度値が、同一の基準輝度値となるように設定するとともに、前記複数の各表示装置において表示される前記所定画像の輝度設定を所定範囲で変化させる工程と、
前記複数の各表示装置の輝度が目視により調整された状態において、前記複数の各表示装置において前記所定画像の輝度を前記輝度センサが測定した測定結果を元に、前記輝度変換特性データに基づいて得られる調整輝度値を、前記複数の各表示装置から取得する工程と、
前記調整輝度値及び前記基準輝度値を元に、前記複数の表示装置毎の輝度変換特性補正データを算出する工程と、
前記複数の表示装置毎に算出された輝度変換特性補正データにより、前記複数の各表示装置の輝度変換特性データを補正する工程と、
を含むことを特徴とする輝度補正方法。
【請求項９】
輝度センサと接続して該輝度センサの測定特性を示す輝度変換特性データを利用して自装置の輝度を補正する複数の表示装置と接続し、該複数の各表示装置の輝度を補正するコンピュータに、
前記輝度センサにより前記複数の各表示装置において表示される所定画像の輝度を測定した測定結果を元に前記輝度変換特性データを参照して得られる輝度値が、同一の基準輝度値となるように設定するとともに、前記複数の各表示装置において表示される前記所定画像の輝度設定を所定範囲で変化させる機能と、
前記複数の各表示装置の輝度が目視により調整された状態において、前記複数の各表示装置において前記所定画像の輝度を前記輝度センサが測定した測定結果を元に、前記輝度変換特性データに基づいて得られる調整輝度値を、前記複数の各表示装置から取得する機能と、
前記調整輝度値及び前記基準輝度値を元に、前記複数の表示装置毎の輝度変換特性補正データを算出する機能と、
前記複数の表示装置毎に算出された輝度変換特性補正データにより、前記複数の各表示装置の輝度変換特性データを補正する機能と、
を実現させるためのプログラム。
【請求項１０】
輝度センサと接続して該輝度センサの測定特性を示す輝度変換特性データを利用して自装置の輝度を補正する複数の表示装置と接続し、該複数の各表示装置の輝度を補正するコンピュータが実行可能なプログラムを格納した記憶媒体であって、
前記輝度センサにより前記複数の各表示装置において表示される所定画像の輝度を測定した測定結果を元に前記輝度変換特性データを参照して得られる輝度値が、同一の基準輝度値となるように設定するとともに、前記複数の各表示装置において表示される前記所定画像の輝度設定を所定範囲で変化させるためのプログラムコードと、
前記複数の各表示装置の輝度が目視により調整された状態において、前記複数の各表示装置において前記所定画像の輝度を前記輝度センサが測定した測定結果を元に、前記輝度変換特性データに基づいて得られる調整輝度値を、前記複数の各表示装置から取得するためのプログラムコードと、
前記調整輝度値及び前記基準輝度値を元に、前記複数の表示装置毎の輝度変換特性補正データを算出するためのプログラムコードと、
前記複数の表示装置毎に算出された輝度変換特性補正データにより、前記複数の各表示装置の輝度変換特性データを補正するためのプログラムコードと、
を含むプログラムを格納したことを特徴とする記憶媒体。
【発明の詳細な説明】
【０００１】
【発明の属する技術分野】
本発明は、表示装置における輝度を補正する輝度補正装置、輝度補正方法、プログラム、及び記憶媒体に関する。
【０００２】
【従来の技術】
従来、表示装置の輝度測定用として表示装置に接続された輝度センサによって、表示装置に画像を表示したときの輝度を測定し、輝度センサの測定結果を元に表示装置内に記憶された輝度特性データを参照することにより表示装置において実際に出力された輝度値を求め、求められた輝度値に基づいて自装置の輝度を補正する表示装置が考案されている。このような表示装置においては、経年変化による表示部のＣＲＴの劣化等が原因で生じた輝度値のずれを補正することができる。
【０００３】
【発明が解決しようとする課題】
しかしながら、上記のような表示装置の輝度補正方法においては、経年変化により輝度補正用の輝度センサが劣化する問題は考慮されていなかった。表示装置においては、輝度補正用の輝度センサから取得する測定結果を元にして自装置の輝度補正を行うが、輝度センサによる測定結果にずれが生じると、自装置の正確な輝度補正ができず、表示装置から出力される輝度が変化してしまう。特に、医用画像データを表示する表示装置においては、表示される画像の輝度が異なると、医師の誤診を招く可能性があり、改善の余地があった。
【０００４】
本発明の課題は、表示装置の輝度補正用の輝度センサにおいて、劣化等により輝度測定レベルの変化が生じた場合に、表示装置の輝度を正確に補正することである。
【０００５】
【課題を解決するための手段】
本発明は、上記課題を解決するため、以下のような特徴を備えている。
【０００６】
請求項１記載の発明は、
輝度センサと接続して該輝度センサの測定特性を示す輝度変換特性データを利用して自装置の輝度を補正する表示装置と接続し、該表示装置の輝度を補正する輝度補正装置において、
輝度計を接続し、
前記表示装置において表示される所定画像の輝度設定を所定範囲で変化させる表示制御手段と、
前記表示装置において前記所定画像の輝度を前記輝度センサが測定した測定結果を元に、前記輝度変換特性データから読み出される該測定結果に対応する第１の輝度値を、前記表示装置から取得するとともに、前記輝度計により前記所定画像の輝度を測定して得られる第２の輝度値を、前記輝度計から取得する取得手段と、
前記第１の輝度値及び前記第２の輝度値を元に、前記輝度変換特性データを補正する輝度変換特性補正データを算出する算出手段と、
前記輝度変換特性データを前記輝度変換特性補正データにより補正する補正手段と、
を備えることを特徴としている。
【０００７】
請求項５記載の発明は、
輝度センサと接続して該輝度センサの測定特性を示す輝度変換特性データを利用して自装置の輝度を補正する表示装置と接続するとともに、輝度計と接続し、該表示装置の輝度を補正する輝度補正装置における輝度補正方法であって、
前記表示装置において表示される所定画像の輝度設定を所定範囲で変化させる工程と、
前記表示装置において前記所定画像の輝度を前記輝度センサが測定した測定結果を元に、前記輝度変換特性データから読み出される該測定結果に対応する第１の輝度値を、前記表示装置から取得するとともに、前記輝度計により前記所定画像の輝度を測定して得られる第２の輝度値を、前記輝度計から取得する工程と、
前記第１の輝度値及び前記第２の輝度値を元に、前記輝度変換特性データを補正する輝度変換特性補正データを算出する工程と、
前記輝度変換特性データを前記輝度変換特性補正データにより補正する工程と、
を含むことを特徴としている。
【０００８】
請求項６記載の発明は、
輝度センサと接続して該輝度センサの測定特性を示す輝度変換特性データを利用して自装置の輝度を補正する表示装置と接続するとともに、輝度計と接続し、該表示装置の輝度を補正するコンピュータに、
前記表示装置において表示される所定画像の輝度設定を所定範囲で変化させる機能と、
前記表示装置において前記所定画像の輝度を前記輝度センサが測定した測定結果を元に、前記輝度変換特性データから読み出される該測定結果に対応する第１の輝度値を、前記表示装置から取得するとともに、前記輝度計により前記所定画像の輝度を測定して得られる第２の輝度値を、前記輝度計から取得する機能と、
前記第１の輝度値及び前記第２の輝度値を元に、前記輝度変換特性データを補正する輝度変換特性補正データを算出する機能と、
前記輝度変換特性データを前記輝度変換特性補正データにより補正する機能と、
を実現させることを特徴としている。
【０００９】
請求項７記載の発明は、
輝度センサと接続して該輝度センサの測定特性を示す輝度変換特性データを利用して自装置の輝度を補正する表示装置と接続するとともに、輝度計と接続し、該表示装置の輝度を補正するコンピュータが実行可能なプログラムを格納した記憶媒体であって、
前記表示装置において表示される所定画像の輝度設定を所定範囲で変化させるためのプログラムコードと、
前記表示装置において前記所定画像の輝度を前記輝度センサが測定した測定結果を元に、前記輝度変換特性データから読み出される該測定結果に対応する第１の輝度値を、前記表示装置から取得するとともに、前記輝度計により前記所定画像の輝度を測定して得られる第２の輝度値を、前記輝度計から取得するためのプログラムコードと、
前記第１の輝度値及び前記第２の輝度値を元に、前記輝度変換特性データを補正する輝度変換特性補正データを算出するためのプログラムコードと、
前記輝度変換特性データを前記輝度変換特性補正データにより補正するためのプログラムコードと、
を含むプログラムを格納したことを特徴としている。
【００１０】
請求項１、５、６、７に記載の発明によれば、表示装置の輝度補正用の輝度センサが劣化して輝度測定レベルにずれが生じた場合にも、表示装置の輝度を正確に補正することができる。
【００１１】
請求項２記載の発明は、請求項１記載の発明において、
前記補正手段により前記変換特性データを補正した後に、任意の時間が経過したか否かを判別する判別手段を更に備え、
前記判別手段によって前記任意の時間が経過したと判別された場合に、前記輝度変換特性データを補正することを特徴としている。
【００１２】
請求項２記載の発明によれば、表示装置の輝度を定期的に補正し、表示装置の輝度を常に正確に維持することが可能である。
【００１３】
請求項３記載の発明は、請求項１記載の発明において、
複数の表示装置を接続し、
前記算出手段は、前記複数の表示装置毎に、前記第１の輝度値及び前記第２の輝度値を元に輝度変換特性補正データを算出し、
前記補正手段は、前記複数の表示装置毎に算出された輝度変換特性補正データにより、前記複数の各表示装置の輝度変換特性データを補正することを特徴としている。
【００１４】
請求項３記載の発明によれば、複数の表示装置の輝度が同一となるように補正することができる。これにより、異なる複数の表示装置において画像を確認する場合にも、輝度レベルの差が原因で画像の認識を誤ることなく、同一の輝度で画像を観察することができる。
【００１５】
請求項４記載の発明は、
輝度センサと接続して該輝度センサの測定特性を示す輝度変換特性データを利用して自装置の輝度を補正する複数の表示装置と接続し、該複数の各表示装置の輝度を補正する輝度補正装置において、
前記輝度センサにより前記複数の各表示装置において表示される所定画像の輝度を測定した測定結果を元に前記輝度変換特性データを参照して得られる輝度値が、同一の基準輝度値となるように設定するとともに、前記複数の各表示装置において表示される前記所定画像の輝度設定を所定範囲で変化させる表示制御手段と、
前記複数の各表示装置の輝度が目視により調整された状態において、前記複数の各表示装置において前記所定画像の輝度を前記輝度センサが測定した測定結果を元に、前記輝度変換特性データに基づいて得られる調整輝度値を、前記複数の各表示装置から取得する取得手段と、
前記調整輝度値及び前記基準輝度値を元に、前記複数の表示装置毎の輝度変換特性補正データを算出する算出手段と、
前記複数の表示装置毎に算出された輝度変換特性補正データにより、前記複数の各表示装置の輝度変換特性データを補正する補正手段と、
を備えることを特徴としている。
【００１６】
請求項８記載の発明は、
輝度センサと接続して該輝度センサの測定特性を示す輝度変換特性データを利用して自装置の輝度を補正する複数の表示装置と接続し、該複数の各表示装置の輝度を補正する輝度補正方法において、
前記輝度センサにより前記複数の各表示装置において表示される所定画像の輝度を測定した測定結果を元に前記輝度変換特性データを参照して得られる輝度値が、同一の基準輝度値となるように設定するとともに、前記複数の各表示装置において表示される前記所定画像の輝度設定を所定範囲で変化させる工程と、
前記複数の各表示装置の輝度が目視により調整された状態において、前記複数の各表示装置において前記所定画像の輝度を前記輝度センサが測定した測定結果を元に、前記輝度変換特性データに基づいて得られる調整輝度値を、前記複数の各表示装置から取得する工程と、
前記調整輝度値及び前記基準輝度値を元に、前記複数の表示装置毎の輝度変換特性補正データを算出する工程と、
前記複数の表示装置毎に算出された輝度変換特性補正データにより、前記複数の各表示装置の輝度変換特性データを該輝度変換特性補正データにより補正する工程と、
を含むことを特徴としている。
【００１７】
請求項９記載の発明は、
輝度センサと接続して該輝度センサの測定特性を示す輝度変換特性データを利用して自装置の輝度を補正する複数の表示装置と接続し、該複数の各表示装置の輝度を補正するコンピュータに、
前記輝度センサにより前記複数の各表示装置において表示される所定画像の輝度を測定した測定結果を元に前記輝度変換特性データを参照して得られる輝度値が、同一の基準輝度値となるように設定するとともに、前記複数の各表示装置において表示される前記所定画像の輝度設定を所定範囲で変化させる機能と、
前記複数の各表示装置の輝度が目視により調整された状態において、前記複数の各表示装置において前記所定画像の輝度を前記輝度センサが測定した測定結果を元に、前記輝度変換特性データに基づいて得られる調整輝度値を、前記複数の各表示装置から取得する機能と、
前記調整輝度値及び前記基準輝度値を元に、前記複数の表示装置毎の輝度変換特性補正データを算出する機能と、
前記複数の表示装置毎に算出された輝度変換特性補正データにより、前記複数の各表示装置の輝度変換特性データを補正する機能と、
を実現させることを特徴としている。
【００１８】
請求項１０記載の発明は、
輝度センサと接続して該輝度センサの測定特性を示す輝度変換特性データを利用して自装置の輝度を補正する複数の表示装置と接続し、該複数の各表示装置の輝度を補正するコンピュータが実行可能なプログラムを格納した記憶媒体であって、
前記輝度センサにより前記複数の各表示装置において表示される所定画像の輝度を測定した測定結果を元に前記輝度変換特性データを参照して得られる輝度値が、同一の基準輝度値となるように設定するとともに、前記複数の各表示装置において表示される前記所定画像の輝度設定を所定範囲で変化させるためのプログラムコードと、
前記複数の各表示装置の輝度が目視により調整された状態において、前記複数の各表示装置において前記所定画像の輝度を前記輝度センサが測定した測定結果を元に、前記輝度変換特性データに基づいて得られる調整輝度値を、前記複数の各表示装置から取得するためのプログラムコードと、
前記調整輝度値及び前記基準輝度値を元に、前記複数の表示装置毎の輝度変換特性補正データを算出するためのプログラムコードと、
前記複数の表示装置毎に算出された輝度変換特性補正データにより、前記複数の各表示装置の輝度変換特性データを補正するためのプログラムコードと、
を含むプログラムを格納したことを特徴としている。
【００１９】
請求項４、８、９、１０に記載の発明によれば、複数の表示装置の輝度が同一となるように目視で調整するため、表示装置を利用する人の視覚に合わせて輝度を設定でき、異なる表示装置においても、視覚的に等しい輝度で画像データを表示することができる。
【００２０】
【発明の実施の形態】
以下、図を参照して第１〜第３の実施の形態を詳細に説明する。ここで、以上の請求項、及び以下の各実施の形態において、輝度変換特性とは、表示装置の輝度補正用の輝度センサが表示装置に表示される画像の輝度を測定して表示装置に出力する測定値と、このとき表示装置において表示される輝度値との対応関係を示す特性であり、表示装置内に予め記憶されており、関数やテーブル等で表すことができる。
【００２１】
なお、以下の各実施の形態における輝度補正装置１は、以上の請求項における輝度補正装置としての機能を有し、表示装置２及び３は、表示装置としての機能を有する。また、以下の各実施の形態における輝度センサ２ａおよび輝度センサ３ａは、以上の請求項における輝度センサとしての機能を有し、輝度計４は、以上の請求項における輝度計としての機能を有する。
【００２２】
［第１の実施の形態］
以下、図を参照して第１の実施の形態を詳細に説明する。
まず、構成を説明する。
図１は、本第１の実施の形態における輝度補正システム１００の全体構成を示す図である。輝度補正システム１００は、輝度補正装置１、表示装置２、表示装置２の輝度補正用の輝度センサ２ａ、輝度計４、により構成され、輝度補正装置１は、ネットワークＮを介して表示装置２と相互にデータの送受信が可能なように接続されている。また、輝度補正装置１は、ケーブルＣ１を介して輝度計４と接続し、表示装置２は、ケーブルＣ２を介して輝度センサ２ａと接続している。
【００２３】
なお、図１においては、輝度補正装置１と、表示装置２と、輝度センサ２ａと、輝度計４とが１台ずつ接続された例を示しているが、各装置の台数は特に限定されない。
【００２４】
輝度補正装置１は、ネットワークＮを介して接続された表示装置２の輝度を補正する。具体的には、後述する輝度変換特性補正処理を実行する。輝度補正装置１は、輝度変換特性補正処理において、輝度センサ２ａが表示装置２の輝度を測定して、ケーブルＣ２を介して表示装置２に出力値ｇを出力し、表示装置２が輝度変換特性Ａを参照して出力値ｇに対応する輝度値ｇ’を読み出すと、ネットワークＮを介して輝度値ｇ’を表示装置２から受信する。また、輝度計４が表示装置２の輝度を測定して、輝度変換特性Ｘを参照して輝度値ｈ’を読み出すと、輝度補正装置１はケーブルＣ１を介して輝度計４から輝度値ｈ’を受信する。そして、輝度値ｇ’及び輝度値ｈ’を元に、補正データ算出プログラムに従って、表示装置２の輝度変換特性Ａを補正する輝度変換特性補正データを生成し、ネットワークＮを介して表示装置２に送信し、予め表示装置２に記憶されている輝度変換特性Ａを補正して輝度変換特性Ａ’に更新する。
【００２５】
ここで、輝度変換特性補正データとは、表示装置２の輝度変換特性Ａを補正するデータであり、輝度補正装置１からネットワークＮを介して表示装置２に送信されて、輝度変換特性Ａを補正して輝度変換特性Ａ’に更新する。この輝度変換特性補正データは、輝度補正装置１により、補正データ算出プログラムに従い、表示装置２において求められる輝度値ｇ’と輝度計４により求められる輝度値ｈ’の差分に基づいて算出される。
【００２６】
ここで、図４を参照して輝度変換特性について説明する。
図４（ａ）は、輝度変換特性を示す輝度変換特性関数を示す図である。図４（ａ）に示すように、輝度変換特性関数においては、横軸方向に輝度を測定する装置（例えば、輝度センサ２ａや輝度計４）の測定値が、また縦軸方向には測定値に対応する輝度値（cd/m2）が示される。例えば、輝度を測定する装置が１２bitデータを処理可能な場合には、表示装置に表示されたターゲットの輝度を測定し、０〜４０９５の４０９６通りの測定値が得られる。そして、測定値を元に、輝度変換特性関数を用いて計算すると、輝度値（例えば、０〜１０００cd/m2）が算出される。
【００２７】
また、図４（ｂ）は、輝度を測定する装置の測定特性を示す輝度変換特性テーブルである。図４（ａ）の輝度変換特性関数と同様に、輝度変換特性テーブルも測定値と輝度値とを対応付けて記憶するものである。なお、図４に示す輝度変換特性関数及び輝度変換特性テーブルの数値は、本実施の形態及び以下の各実施の形態を説明するためのものであり、これに限定されるものではない。
【００２８】
表示装置２は、画像データを表示する表示装置であり、表示画面２Ａを備え、輝度変換特性Ａを記憶している。輝度変換特性Ａは、輝度センサ２ａからケーブルＣ２を介して受信する出力値ｇと、表示装置２の表示画面２Ａに表示される画像の輝度値ｇ’とを対応付けて記憶している。表示装置２は、輝度センサ２ａとケーブルＣ２を介して接続する。表示装置２は、自装置の輝度補正を行う際に、輝度レベルを徐々に変化させた所定の画像（以下、ターゲットという）を表示画面２Ａに表示させ、このとき輝度センサ２ａにより測定されてケーブルＣ２を介して入力される出力値ｇを受信する。そして、出力値ｇを元に輝度変換特性Ａを参照して輝度値ｇ’を読み出し、ネットワークＮを介して輝度値ｇ’を輝度補正装置１に送信する。また、表示装置２は、輝度補正装置１による輝度変換特性補正処理において、ネットワークＮを介して輝度補正装置１から輝度変換特性補正データを受信し、輝度変換特性Ａが輝度変換特性Ａ’に更新される。
【００２９】
輝度センサ２ａは、表示装置２における輝度を測定する受光センサ、受光センサにより得られたアナログデータを増幅する増幅回路、増幅されたアナログデータをデジタル信号化するＡ／Ｄ変換部、デジタル信号化された出力値を出力するＩ／Ｆ部（いずれも図示せず）等を備える。輝度センサ２ａは、表示装置２の表示画面２Ａに実際に出力された輝度を測定し、ケーブルＣ２を介して出力値ｇを表示装置２に送信する。
【００３０】
輝度計４は、ケーブルＣ１により輝度補正装置１に接続された輝度計であり、上記の輝度センサ２ａと同様の構成部の他に、デジタル信号化された出力値に対応する輝度値を記憶する輝度変換特性Ｘを記憶する記憶部（図示省略）を備えている。輝度計４は、輝度補正装置１による輝度変換特性補正処理の対象となる表示装置２の輝度を測定し、測定結果を元に輝度変換特性Ｘを参照して読み出される輝度値ｈ’を、ケーブルＣ１を介して輝度補正装置１に送信する。
【００３１】
以下、図を参照して輝度補正装置１の構成を詳細に説明する。
図２は、輝度補正装置１の機能的構成を示すブロック図である。図２に示すように、輝度補正装置１は、制御部１１、入力部１２、表示部１３、ＲＡＭ１４、ＲＯＭ１５、記憶部１６、Ｉ／Ｆ１７、通信制御部１８により構成され、各部はバス１９により接続されている。
【００３２】
制御部１１は、ＣＰＵ（Central Processing Unit）等により構成され、ＲＯＭ１５に記憶されているシステムプログラムや各種制御プログラムを読み出し、ＲＡＭ１４に展開し、該制御プログラムに従って各部の動作を集中制御する。また、制御部１１は、ＲＡＭ１４に展開したプログラムに従って各種処理を実行し、その処理結果をＲＡＭ１４に一時記憶させるとともに、表示部１３に表示させる。制御部１１は、具体的には、記憶部１６から輝度変換特性補正処理プログラム、補正データ算出プログラム、及び定期輝度補正処理プログラムを読み出して、後述する輝度変換特性補正処理、及び定期輝度補正処理を実行する。
【００３３】
制御部１１は、輝度変換特性補正処理において、記憶部１６から輝度変換特性補正処理プログラムを読み出し、このプログラムに従って、表示装置２の表示画面２Ａにターゲットを順次輝度を変化させて表示させ、輝度計４から輝度値ｈ’を、ケーブルＣ１を介して受信する。また、輝度値ｇ’をネットワークＮを介して表示装置２から受信する。
【００３４】
また、制御部１１は、記憶部１６に記憶された補正データ算出プログラムを読み出して、輝度値ｇ’及び出力値ｈ’を元に、表示装置２に記憶された輝度変換特性Ａを補正する輝度変換特性補正データを生成し、ネットワークＮを介して表示装置２に送信し、表示装置２に記憶されている輝度変換特性Ａを補正して輝度変換特性Ａ’に更新する。
【００３５】
また、制御部１１は、定期輝度補正処理において、ネットワークＮを介して表示装置２に対して、最終の輝度変換特性の補正日時のデータ（以下、補正日時データという）を要求するデータ（以下、要求データという）を送信する。表示装置２から補正日時データを受信すると、補正日時から一定時間Ｔが経過したか否かを判別し、時間Ｔが経過していれば、輝度変換特性補正処理を実行し、表示装置２において新たにターゲットを表示させ、表示装置２及び輝度計４から新たな輝度値を取得し、取得した輝度値に基づいて輝度変換特性補正データを生成し、ネットワークＮを介して表示装置２に送信し、表示装置２に記憶されている輝度変換特性Ａを補正して輝度変換特性Ａ’に更新する。
即ち、制御部１１は、請求項における表示制御手段、算出手段、補正手段、判別手段としての機能を有する。
【００３６】
入力部１２は、カーソルキー、数字入力キー、及び各種機能キー等を備えたキーボードを含み、このキーボードで押下されたキーに対応する押下信号を制御部１１に出力する。なお、入力部１２は、必要に応じてマウス、タッチパネル等のポインティングデバイスや、その他の入力装置を備えることとしてもよい。
【００３７】
表示部１３は、ＬＣＤ（Liquid Crystal Display）やＣＲＴ（Cathode Ray Tube）等により構成され、制御部１１から入力される表示信号の指示に従って、入力部１２からの入力指示やデータ等を表示させる。
【００３８】
ＲＡＭ（Random Access Memory）１４は、制御部１１により実行制御される各種処理において、ＲＯＭ１５及び記憶部１６から読み出された輝度補正装置１上で実行可能なシステムプログラム、制御プログラム、入力若しくは出力データ、及びパラメータなどの一時的な格納領域を形成する。
【００３９】
ＲＯＭ（Read Only Memory）１５は、不揮発性の半導体記憶素子等により構成され、制御部１１により実行される基本制御プログラム等の各種プログラム、及びこれらのプログラムに関るデータ等を記憶する。
【００４０】
記憶部１６は、プログラムやデータが予め記憶された記録媒体（図示省略）を有しており、この記録媒体は、磁気的、光学的記録媒体、もしくは半導体メモリで構成されている。この記録媒体は、記憶部１６に固定的に設けられるもの、若しくは着脱自在に装着するものであり、この記録媒体にサーバ１に対応するシステムプログラム、当該システムプログラムに対応する各種処理プログラム、及び処理結果のデータ等を記憶する。これらの各種プログラムは、読取可能なプログラムコードの形態で格納され、制御部１１は、当該プログラムコードに従った動作を逐次実行する。
【００４１】
具体的には、記憶部１６は、輝度変換特性補正処理において利用される輝度変換特性補正処理プログラム、補正データ算出プログラム、及び定期輝度補正処理において利用される定期輝度補正処理プログラム等を記憶している。
【００４２】
Ｉ／Ｆ１７は、輝度補正装置１と輝度計４とを接続するためのデータ入出力ポートを備えるインターフェイスである。Ｉ／Ｆ１７は、インターフェイスに応じたデータの符号化を行うエンコーダ、及び符号化データの復号化を行うデコーダ等を備え、輝度計４から入力されるデータの転送速度の調整や、データ形式の変換を行い、制御部１１に出力する。
即ち、Ｉ／Ｆ１７は、通信制御部１８とともに、請求項における取得手段としての機能を果たす。
【００４３】
通信制御部１８は、輝度補正装置１、及び表示装置２との間でインターネットＮを介して各種データを入出力するためのインターフェイスである。表示装置２から受信したデータの転送速度の調整や、データ形式の変換を行い、制御部１１に出力する。
【００４４】
ネットワークＮは、専用線や既存の一般公衆回線を利用して構築された通信ネットワークであり、ＬＡＮやＷＡＮ等の様々な回線形態を適用することが可能である。ネットワークＮには、例えば、電話回線網、ＩＳＤＮ回線網、専用線、移動体通信網、通信衛星回線、ＣＡＴＶ回線網等の各種通信回線網と、それらを接続するインターネットサービスプロバイダ等が含まれる。また、図１においては各装置は有線接続されている例を示しているが、無線接続であってもよい。但し、情報管理の信頼性の観点から、特定のユーザのみがアクセス可能なセキュリティを確保しているネットワークであることが望ましい。
【００４５】
次いで、図３を参照して、図１に示す表示装置２の機能的構成を説明する。なお、入力部２２、表示部２３、ＲＡＭ２４、ＲＯＭ２５、バス２９は、輝度補正装置１の入力部１２、表示部１３、ＲＡＭ１４、ＲＯＭ１５、バス１９と各々同様の機能を有するため、その詳しい説明は省略する。
【００４６】
制御部２１は、輝度補正装置１からターゲット表示の開始を指示するデータを受信した場合に、記憶部２６からターゲット表示制御テーブル（図５参照）を読み出して、ターゲット出力ステップｉに対応するモニタ駆動値Ｄｉにより、ターゲットを表示画面２Ａに表示させる。
【００４７】
ここで、図５を参照して、ターゲット表示制御テーブルについて説明する。図５に示すように、ターゲット表示制御テーブルには、ターゲットを出力する際の輝度値のステップを示すターゲット出力ステップｉと、制御部２１が表示部２３の表示制御を行う際に表示部２３に対して出力するモニタ駆動値Ｄｉとが対応付けて記憶されている。図５に示す例では、ターゲット出力ステップｉの総ステップ数ｎ＝１８（最低ステップｉ＝０〜最高ステップｉ＝１７（＝（ｎ−１））として、１８ステップによりターゲット表示を行う。モニタ駆動値Ｄｉは、モニタ（表示画面）を駆動して、ターゲットを出力させる値であり、０（黒）〜２５５（白）の２５６段階がある。このモニタ駆動値Ｄｉと、輝度センサ２ａから取得する出力値に対応する輝度値との間に差がある場合に、表示装置２は自装置の輝度補正を行う。
【００４８】
制御部２１は、ケーブルＣ２により接続された輝度センサ２ａから出力値ｇを入力されると、記憶部２６から輝度変換特性Ａを読み出し、出力値ｇを元に輝度変換特性Ａを参照して輝度値ｇ’を読み出し、輝度値ｇ’に基づいて表示装置２の輝度を補正する。また、通信制御部２８からネットワークＮを介して輝度値ｇ’を輝度補正装置１に送信し、輝度補正装置１から輝度変換特性補正データを受信し、記憶部２６内に記憶された輝度変換特性Ａが補正されて輝度変換特性Ａ’に更新されると、補正日時を記憶部２６に記憶させる。以後、制御部２１は、この輝度変換特性Ａ’に基づいて表示装置２の輝度を補正する。
【００４９】
また、制御部２１は、通信制御部２８から、輝度補正装置１から受信した輝度変換特性の補正日時データの要求データが入力されると、記憶部２６内に記憶された補正日時データを読み出し、通信制御部２８に出力し、輝度補正装置１に送信させる。
【００５０】
記憶部２６は、輝度変換特性Ａやターゲット表示制御テーブル（図５参照）を記憶している。通信制御部２８から、輝度変換特性補正データが入力されると、輝度変換特性Ａを輝度変換特性Ａ’に書き換えられ、記憶部２６は、輝度変換特性が補正された日時を示す補正日時データを記憶する。
【００５１】
Ｉ／Ｆ２７は、表示装置２と輝度センサ２ａとを接続するためのデータ入出力ポートを備えるインターフェイスである。Ｉ／Ｆ２７は、インターフェイスに応じたデータの符号化を行うエンコーダ、及び符号化データの復号化を行うデコーダ等を備え、輝度センサ２ａから入力されるデータの転送速度の調整や、データ形式の変換を行い、制御部２１に出力する。
【００５２】
通信制御部２８は、ネットワークＮを介して輝度補正装置１から輝度変換特性補正データを受信すると、制御部２１から入力される指示に従って記憶部２６に出力する。また、輝度補正装置１から輝度変換特性の補正日時データの要求データを受信すると、制御部２１に出力し、制御部２１の指示に従って補正日時データを輝度補正装置１に送信する。
【００５３】
次に、第１の実施の形態による動作を説明する。
動作説明の前提として、図６のフローチャートに記述されている各処理を実現するためのプログラムは、コンピュータが読み取り可能なプログラムコードの形態で記憶部１６に格納されており、制御部１１は、当該プログラムコードに従った動作を逐次実行する。
【００５４】
図６は、図２の制御部１１による輝度変換特性補正処理を示すフローチャートである。制御部１１は、入力部１２から輝度変換特性補正処理を指示するデータを取得した場合、あるいは後述する定期輝度補正処理において一定時間Ｔが経過していると判別した場合に、輝度変換特性補正処理を開始する。
【００５５】
図５に示すように、制御部１１は、ターゲット出力ステップの内、最低ステップｉ＝０によりターゲット表示を開始させる指示データを表示装置２に送信し（ステップＳ１）、ターゲット出力ステップｉに対応するモニタ駆動値Ｄｉで表示装置２Ａにターゲットを表示させ、輝度センサ２ａの出力値ｇを元に輝度変換特性Ａを参照して輝度値ｇ’を表示装置２に読み出させる（ステップＳ２）。次いで、制御部１１は、ネットワークＮを介して、輝度値ｇ’を表示装置２から受信したか否かを判別し（ステップＳ３）、受信しなければ（ステップＳ３；ＮＯ）、受信するまで待機し、受信した場合には（ステップＳ３；ＹＥＳ）、ターゲット出力ステップｉを１ステップ繰り上げる（ステップＳ４）。
【００５６】
次いで、ステップＳ４において繰り上げられたターゲット出力ステップｉが最高ステップ（ｎ−１）＝１７を超えるか否かを判別し（ステップＳ５）、超えていない場合は（ステップＳ５；ＮＯ）、ステップＳ２に戻り、繰り上げられたターゲット出力ステップｉにより表示画面２Ａにターゲットを表示させる。一方、最高ステップ（ｎ−１）を越える場合には（ステップＳ５；ＹＥＳ）、表示画面２Ａにターゲット出力ステップｉ＝０によりターゲット表示を行う指示データを表示装置２に送信し（ステップＳ６）、ターゲット出力ステップｉに対応するモニタ駆動値Ｄｉで表示装置２Ａにターゲットを表示させるとともに、輝度計４に、ターゲットの輝度を測定させ、輝度測定結果を元に輝度変換特性Ｘを参照して輝度値ｈ’を読み出させる（ステップＳ７）。次いで、制御部１１は、ケーブルＣ１を介して輝度計４から輝度値ｈ’を受信したか否かを判別し（ステップＳ８）、受信しなければ（ステップＳ８；ＮＯ）、受信するまで待機し、受信すると（ステップＳ８；ＹＥＳ）、ターゲット出力ステップｉを１ステップ繰り上げる（ステップＳ９）。
【００５７】
次いで、ステップＳ４において繰り上げられたターゲット出力ステップｉが最高ステップ（ｎ−１）を超えるか否かを判別し（ステップＳ１０）、超えていない場合は（ステップＳ１０；ＮＯ）、ステップＳ７に戻り、繰り上げられたターゲット出力ステップｉにより表示画面２Ａにターゲットを表示させる。一方、最高ステップ（ｎ−１）を超える場合には（ステップＳ１０；ＹＥＳ）、輝度値ｈ’［０］〜ｈ’［ｎ−１］と輝度値ｇ’［０］〜ｇ’［ｎ−１］とを元に、補正データ算出プログラムにより輝度変換特性補正データを生成する（ステップＳ１１）。そして、制御部１１は、ネットワークＮを介して輝度変換特性補正データを表示装置２に送信し、表示装置２において予め記憶されている輝度変換特性Ａを補正して輝度変換特性Ａ’に更新し（ステップＳ１２）、輝度変換特性補正処理を終了する。
【００５８】
また、定期輝度補正処理において、制御部１１は、補正日時データを要求する要求データを表示装置２に送信する。そして、表示装置２から補正日時データを受信すると、最終の補正日時から時間Ｔが経過したか否かを判別し、時間Ｔが経過していない場合はそのまま定期輝度補正処理を終了し、時間Ｔが経過していれば輝度変換特性補正処理を実行し、定期輝度補正処理を終了する。
【００５９】
以上のように、本第１の実施の形態によれば、輝度補正装置１の制御部１１は、輝度変換特性補正処理において、表示装置２の表示画面２Ａに順次輝度を変化させてターゲットを表示させ、ネットワークＮを介して表示装置２から輝度値ｇ’［０］〜ｇ’［ｎ−１］を受信するとともに、ケーブルＣ１を介して輝度計４から輝度値ｈ’［０］〜ｈ’［ｎ−１］を受信する。更に、制御部１１は、輝度値ｇ’［０］〜ｇ’［ｎ−１］及びｈ’［０］〜ｈ’［ｎ−１］を元に補正データ算出プログラムに従って輝度変換特性補正データを生成して表示装置２に送信し、表示装置２に記憶された輝度変換特性Ａを補正して輝度変換特性Ａ’に更新する。また、制御部１１は、定期輝度補正処理において、補正日時データの要求データを表示装置２に送信し、表示装置２から補正日時データを受信すると、最終の補正日時から時間Ｔが経過した場合に、輝度変換特性補正処理を実行し、表示装置２において新たにターゲットを表示させ、表示装置２及び輝度計４から新たな輝度値を取得し、取得した輝度値に基づいて輝度変換特性補正データを生成し、ネットワークＮを介して表示装置２に送信し、表示装置２に記憶されている輝度変換特性Ａを補正して輝度変換特性Ａ’に更新する。
【００６０】
これにより、表示装置２の輝度補正用の輝度センサ２ａにおいて劣化等が生じ、表示画面２Ａにおける輝度が正しく測定されない場合にも、輝度センサ２ａの輝度測定レベルに応じて表示装置２に記憶された輝度変換特性Ａを補正するため、表示装置２における輝度を正確に補正することができる。また、定期的に輝度変換特性の更新を行うことにより、表示装置２が出力する輝度を常に正確に保つことができる。
【００６１】
また、ネットワークＮを介して複数の表示装置を輝度補正装置１に接続すれば、表示装置２の場合と同様に輝度補正装置１により輝度変換特性補正処理を実行することにより、どの表示装置においても同一の輝度レベルによる画面表示が可能となり、複数の表示装置における輝度のばらつきを解消することも可能である。
【００６２】
なお、本第１の実施の形態においては、輝度変換特性の補正日時データを表示装置２の記憶部２６に記憶させ、輝度補正装置１が定期輝度補正処理において表示装置２から補正日時データを取得することとしたが、例えば、輝度補正装置１の記憶部１６内に補正日時データを記憶しておき、最終の輝度変換特性補正処理後、一定時間Ｔが経過したと判断した場合に、輝度補正装置１が自動的に輝度変換特性補正処理を実行するように構成することも可能である。
【００６３】
［第２の実施の形態］
以下、図を参照して第２の実施の形態を詳細に説明する。なお、本実施の形態における輝度補正装置１、表示装置２、輝度センサ２ａ、輝度計４は、第１の実施の形態において説明した、図１に示す同一名称の装置の構成と同一であるため、同一の装置、構成部分には同列の符号を付し、重複する説明は省略する。
【００６４】
まず、構成を説明する。
図７は、本第２の実施の形態における輝度補正システム２００の全体構成を示す図である。輝度補正システム２００は、輝度補正装置１、表示装置２、表示装置２の輝度補正用の輝度センサ２ａ、表示装置３、表示装置３の輝度補正用の輝度センサ３ａ、輝度計４、により構成され、輝度補正装置１は、ネットワークＮを介して表示装置２及び表示装置３と相互にデータの送受信が可能なように接続されている。また、輝度補正装置１は、ケーブルＣ１を介して輝度計４と接続し、表示装置２は、ケーブルＣ２を介して輝度センサ２ａと接続し、表示装置３はケーブルＣ３を介して輝度センサ３ａと接続している。
【００６５】
なお、図７においては、輝度補正装置１と、表示装置２と、輝度センサ２ａと、表示装置３と、輝度センサ３ａと、輝度計４とが１台ずつ接続された例を示しているが、各装置の台数は特に限定されない。
【００６６】
輝度補正装置１は、ネットワークＮを介して接続された表示装置２及び表示装置３の輝度を補正する。具体的には、後述する輝度変換特性補正処理を実行する。輝度補正装置１は、輝度変換特性補正処理において、表示装置２及び表示装置３の各々に順次輝度を変化させてターゲットを表示させ、ネットワークＮを介して、表示装置２及び表示装置３から各々輝度値ｐ’及び輝度値ｑ’を受信する。
【００６７】
また、輝度補正装置１は、ケーブルＣ１を介して、表示装置２の輝度測定結果を元に求められた輝度値ａ’、及び表示装置３の輝度測定結果を元に求められた輝度値ｂ’を輝度計４から受信する。次いで、輝度値ｐ’及び輝度値ａ’を元に、補正データ算出プログラムに従って輝度変換特性補正データを生成して表示装置２に送信するとともに、輝度値ｑ’及び輝度値ｂ’を元に輝度変換特性補正データを生成して表示装置３に送信し、表示装置２に予め記憶された輝度変換特性Ａを輝度変換特性Ａ’に、また表示装置３に予め記憶された輝度変換特性Ｚを補正して輝度変換特性Ｚ’に更新する。
【００６８】
ここで、輝度変換特性補正データとは、表示装置２及び表示装置３の輝度変換特性を補正するデータであり、輝度補正装置１からネットワークＮを介して表示装置２及び表示装置３に送信されて、表示装置２の輝度変換特性Ａを補正して輝度変換特性Ａ’に、また表示装置３の輝度変換特性Ｚを補正して輝度変換特性Ｚ’に更新する。この輝度変換特性補正データは、輝度補正装置１により、補正データ算出プログラムに従い、表示装置２において求められる輝度値ｐ’と輝度計４により求められる輝度値ａ’の差分、あるいは表示装置３において求められる輝度値ｑ’と輝度計４により求められる輝度値ｂ’に基づいて算出される。
【００６９】
表示装置２及び表示装置３は、画像データを表示する表示装置であり、各々表示画面２Ａ及び表示画面３Ａを備え、表示装置２はケーブルＣ２を介して輝度センサ２ａと、また表示装置３はケーブルＣ３を介して輝度センサ３ａと接続する。表示装置２及び表示装置３は、ネットワークＮを介して、順次輝度を変化させてターゲット表示を指示するデータを輝度補正装置１から受信すると、各々の表示画面２Ａ及び表示画面３Ａにターゲットを表示させ、輝度センサ２ａからケーブルＣ２を介して入力される出力値ｐ、及び輝度センサ３ａからケーブルＣ３を介して入力される出力値ｑを各々受信する。
【００７０】
また、表示装置２は、輝度センサ２ａの出力値ｐとこれに対応する輝度値ｐ’とを対応付ける輝度変換特性Ａを記憶し、表示装置３は、輝度センサ３ａの出力値とこれに対応する輝度値ｐ’を対応付ける輝度変換特性Ｚを記憶している。表示装置２は、輝度値ｐ’を、また表示装置３は、輝度値ｑ’を、ネットワークＮを介して輝度補正装置１に送信する。
【００７１】
また、表示装置２及び表示装置３は、輝度補正装置１による輝度変換特性補正処理において、ネットワークＮを介して輝度補正装置１から輝度変換特性補正データを各々受信する。これにより、輝度変換特性Ａは輝度変換特性Ａ’に、また、輝度変換特性Ｚは輝度変換特性Ｚ’に各々更新される。
【００７２】
輝度センサ２ａ及び輝度センサ３ａは、表示装置２及び表示装置３における輝度を測定する受光センサ、受光センサにより得られたアナログデータを増幅する増幅回路、増幅されたアナログデータをデジタル信号化するＡ／Ｄ変換部、デジタル信号化された出力値を出力するＩ／Ｆ部（いずれも図示せず）等を備える。輝度センサ２ａは、表示画面２Ａに実際に表示された輝度を測定し、ケーブルＣ２を介して出力値ｐを表示装置２に送信し、輝度センサ３ａは、表示画面３Ａに実際に出力された輝度を測定し、ケーブルＣ３を介して出力値ｑを表示装置３に送信する。
【００７３】
輝度計４は、ケーブルＣ１により輝度補正装置１に接続された輝度計であり、上記の輝度センサ２ａと同様の構成部の他に、デジタル信号化された出力値に対応する輝度値を記憶する輝度変換特性Ｘを記憶する記憶部（図示省略）を備えている。輝度計４は、輝度補正装置１による輝度変換特性補正処理の対象となる表示装置２及び表示装置３の輝度を測定し、測定結果を元に輝度変換特性Ｘを参照して読み出される表示装置２の輝度値ａ’及び表示装置３の輝度値ｂ’を、ケーブルＣ１を介して輝度補正装置１に送信する。
【００７４】
以下、図を参照して輝度補正装置１の構成を詳細に説明する。
図２は、輝度補正装置１の機能的構成を示すブロック図である。図２に示すように、輝度補正装置１は、制御部１１、入力部１２、表示部１３、ＲＡＭ１４、ＲＯＭ１５、記憶部１６、Ｉ／Ｆ１７、通信制御部１８、により構成され、各部はバス１９により接続されている。
なお、第１の実施の形態における輝度補正装置１の各構成部と同一の機能を有する構成部である入力部１２、表示部１３、ＲＡＭ１４、ＲＯＭ１５、Ｉ／Ｆ１７、通信制御部１８、及びネットワークＮについては、第１の実施の形態における同一構成部と同様の機能を有するため、その詳しい説明を省略する。
【００７５】
制御部１１は、ＣＰＵ（Central Processing Unit）等により構成され、ＲＯＭ１５に記憶されているシステムプログラムや各種制御プログラムを読み出し、ＲＡＭ１４に展開し、該制御プログラムに従って各部の動作を集中制御する。また、制御部１１は、ＲＡＭ１４に展開したプログラムに従って各種処理を実行し、その処理結果をＲＡＭ１４に一時記憶させるとともに、表示部１３に表示させる。制御部１１は、具体的には、記憶部１６から輝度変換特性補正処理プログラムを読み出して、後述する輝度変換特性補正処理を実行する。
【００７６】
制御部１１は、輝度変換特性補正処理において、入力部１２から輝度変換特性補正処理を開始する指示データを入力された場合に、記憶部１６から輝度変換特性補正処理プログラム及び補正データ算出プログラムを読み出し、これらのプログラムに従って、Ｉ／Ｆ１７を介して輝度計４から入力される輝度値ａ’及び輝度値ｂ’とを元に、輝度変換特性Ａを補正する輝度変換特性補正データ、及び輝度変換特性Ｚを補正する輝度変換特性補正データを生成する。
【００７７】
また、制御部１１は、上記のように、表示装置毎に生成された輝度変換特性補正データを、ネットワークＮを介して表示装置２及び表示装置３に送信することにより、表示装置２に記憶されている輝度変換特性Ａを補正して輝度変換特性Ａ’に補正し、表示装置３に記憶されている輝度変換特性Ｚを補正して輝度変換特性Ｚ’に補正する。
【００７８】
記憶部１６は、プログラムやデータが予め記憶された記録媒体（図示省略）を有しており、この記録媒体は、磁気的、光学的記録媒体、もしくは半導体メモリで構成されている。この記録媒体は、記憶部１６に固定的に設けられるもの、若しくは着脱自在に装着するものであり、この記録媒体にサーバ１に対応するシステムプログラム、当該システムプログラムに対応する各種処理プログラム、及び処理結果のデータ等を記憶する。これらの各種プログラムは、読取可能なプログラムコードの形態で格納され、制御部１１は、当該プログラムコードに従った動作を逐次実行する。
【００７９】
具体的には、記憶部１６は、輝度変換特性補正処理において利用される輝度変換特性補正処理プログラムや、補正データ算出プログラム等を記憶している。
【００８０】
次いで、図３を参照して、図７に示す表示装置２の機能的構成を説明する。なお、入力部２２、表示部２３、ＲＡＭ２４、ＲＯＭ２５、Ｉ／Ｆ２７、通信制御部２８、バス２９は、第１の実施の形態における同一構成部と各々同様の機能を有するため、その詳しい説明は省略する。
【００８１】
制御部２１は、輝度補正装置１からターゲット表示の開始を指示するデータを受信した場合に、記憶部２６からターゲット表示制御テーブル（図５参照）を読み出して、ターゲット出力ステップｉに対応するモニタ駆動値Ｄｉによりターゲットを表示画面２Ａに表示させる。
【００８２】
制御部２１は、ターゲット出力ステップｉ＝０〜１７（ターゲット出力ステップ総数ｎ＝１８とする）に対応するモニタ駆動値Ｄｉにより順次ターゲットを表示画面２Ａに表示させ、表示画面２Ａに実際にターゲットが表示された時の輝度測定結果である出力値ｐを輝度センサ２ａから取得し、出力値ｐを元に輝度変換特性Ａを参照して輝度値ｐ’を読み出し、輝度値ｐ’を元に表示装置２における輝度を補正する。
【００８３】
また、制御部２１は、通信制御部２８からネットワークＮを介して輝度値ｐ’を輝度補正装置１に送信し、輝度補正装置１から輝度変換特性補正データを受信し、記憶部２６内に記憶された輝度変換特性Ａが輝度変換特性Ａ’により更新されると、補正日時を記憶部２６に記憶させる。以後、制御部２１は、この輝度変換特性Ａ’に基づいて表示装置２の輝度を補正する。
【００８４】
また、制御部２１は、通信制御部２８により、輝度補正装置１から受信した輝度変換特性の補正日時データを要求する要求データが入力されると、記憶部２６内に記憶された補正日時データを読み出し、通信制御部２８からネットワークＮを介して輝度補正装置１に送信する。
【００８５】
記憶部２６は、輝度変換特性Ａやターゲット表示制御テーブル（図５参照）を記憶している。通信制御部２８により、ネットワークＮを介して輝度補正装置１から受信した輝度変換特性補正データが入力されると、記憶部２６内の輝度変換特性Ａが輝度変換特性Ａ’に更新され、記憶部２６は、輝度変換特性を更新した日時を示す補正日時データを記憶する。
【００８６】
次いで、図７に示す表示装置３の機能的構成を説明する。なお、表示装置３は表示装置２と同様の機能的構成を有するため、図示を省略し、表示装置２の制御部２１、入力部２２、表示部２３、ＲＡＭ２４、ＲＯＭ２５、記憶部２６、Ｉ／Ｆ２７、通信制御部２８、バス２９、に各々対応する表示装置３における機能的構成部を、制御部３１、入力部３２、表示部３３、ＲＡＭ３４、ＲＯＭ３５、記憶部３６、Ｉ／Ｆ３７、通信制御部３８、バス３９とする。また、これらの各構成部の内、入力部３２、表示部３３、ＲＡＭ３４、ＲＯＭ３５、Ｉ／Ｆ３７、通信制御部３８、バス３９に関しては、表示装置２の入力部２２、表示部２３、ＲＡＭ２４、ＲＯＭ２５、Ｉ／Ｆ２７、通信制御部２８、バス２９と各々同様の機能を有するため、その詳しい説明は省略する。
【００８７】
制御部３１は、輝度補正装置１からターゲット表示の開始を指示するデータを受信した場合に、記憶部３６からターゲット表示制御テーブル（図５参照）を読み出して、ターゲット出力ステップｉに対応するモニタ駆動値Ｄｉによりターゲットを表示画面３Ａに表示させる。
【００８８】
制御部３１は、ターゲット出力ステップｉ＝０〜１７（ターゲット出力ステップ総数ｎ＝１８とする）に対応するモニタ駆動値Ｄｉにより順次ターゲットを表示画面３Ａに表示させ、これにより実際に表示画面３Ａにターゲットが表示された時の測定結果である出力値ｑを輝度センサ３ａから取得し、出力値ｑを元に輝度変換特性Ｚを参照して実際に表示画面３Ａにおいて出力された輝度値ｑ’を読み出し、輝度値ｑ’を元に表示装置３における輝度を補正する。
【００８９】
また、制御部３１は、通信制御部３８からネットワークＮを介して輝度値ｑ’を輝度補正装置１に送信し、輝度補正装置１から輝度変換特性補正データを受信して、記憶部３６内に記憶された輝度変換特性Ｚが輝度変換特性Ｚ’に更新されると、輝度変換特性の補正日時を記憶部３６に記憶させる。以後、制御部３１は、この輝度変換特性Ｚ’に基づいて表示装置３の輝度を補正する。
【００９０】
また、制御部３１は、通信制御部３８により、輝度補正装置１から受信した輝度変換特性の補正日時データを要求する要求データが入力されると、記憶部３６内に記憶された補正日時データを読み出し、通信制御部３８からネットワークＮを介して輝度補正装置１に送信する。
【００９１】
記憶部３６は、輝度変換特性Ｚやターゲット表示制御テーブル（図５参照）を記憶している。通信制御部３８により、ネットワークＮを介して輝度補正装置１から受信した輝度変換特性補正データが入力されると、輝度変換特性Ｚに代わって輝度変換特性Ｚ’と輝度変換特性を更新した日時を示す補正日時データとを記憶する。
【００９２】
次に、第２の実施の形態による動作を説明する。
動作説明の前提として、図８のフローチャートに記述されている各処理を実現するためのプログラムは、コンピュータが読み取り可能なプログラムコードの形態で記憶部１６に格納されており、制御部１１は、当該プログラムコードに従った動作を逐次実行する。なお、制御部１１は、第１の実施の形態と同様に、表示装置２におけるターゲットの輝度を順次変化させ、ターゲット出力ステップｉ毎の複数の輝度値を求めることにより複数の輝度値を得ることにより輝度変換特性補正データを算出するが、以下、この内容を要約して説明する。
【００９３】
輝度変換特性補正処理において、制御部１１は、輝度計４が表示画面２Ａの輝度を測定して求める輝度値ａ’［０］〜ａ’［ｎ−１］と、輝度計４が表示画面３Ａの輝度を測定して求める輝度値ｂ’［０］〜ｂ’［ｎ−１］とを、Ｉ／Ｆ１７により輝度計４から受信したか否かを判別し（ステップＳ２１）、受信しない場合は（ステップＳ２１；ＮＯ）、受信するまで待機を続け、受信すると（ステップＳ２１；ＹＥＳ）、輝度値ａ’［０］〜ａ’［ｎ−１］と、輝度値ｂ’［０］〜ｂ’［ｎ−１］とを、ネットワークＮを介して通信制御部１８により受信したか否かを更に判別する（ステップＳ２２）。
【００９４】
ステップＳ２２において、制御部１１は、輝度値ｐ’［０］〜ｐ’［ｎ−１］及び輝度値ｑ’［０］〜ｑ’［ｎ−１］を受信しない場合は（ステップＳ２２；ＮＯ）、受信するまで待機を続け、受信すると（ステップＳ２２；ＹＥＳ）、輝度値ａ’［０］〜ａ’［ｎ−１］及び輝度値ｐ’［０］〜ｐ’［ｎ−１］が一致するか否かを判別し（ステップＳ２３）、一致する場合は（ステップＳ２３；ＹＥＳ）、ステップＳ２６に移行する。一方、輝度値ａ’［０］〜ａ’［ｎ−１］及び輝度値ｐ’［０］〜ｐ’［ｎ−１］が一致しない場合には（ステップＳ２３；ＮＯ）、これらの輝度値を元に、輝度変換特性補正データを算出し（ステップＳ２４）、ネットワークＮを介して表示装置２に輝度変換特性補正データを送信して輝度変換特性Ａを補正して輝度変換特性Ａ’に更新し（ステップＳ２６）、ステップＳ２６に移行する。
【００９５】
ステップＳ２６において、制御部１１は、輝度値ｂ’［０］〜ｂ’［ｎ−１］及び輝度値ｑ’［０］〜ｑ’［ｎ−１］が一致するか否かを判別し、一致する場合は（ステップＳ２６；ＹＥＳ）、輝度変換特性補正処理を終了する。一方、輝度値ｂ’［０］〜ｂ’［ｎ−１］及び輝度値ｑ’［０］〜ｑ’［ｎ−１］が一致しない場合には（ステップＳ２６；ＮＯ）、これらの輝度値を元に輝度変換特性補正データを生成し（ステップＳ２７）、ネットワークＮを介して表示装置３に輝度変換特性補正データを送信し、輝度変換特性Ｚを補正して輝度変換特性Ｚ’に更新し（ステップＳ２８）、輝度変換特性補正処理を終了する。
【００９６】
以上のように、本第２の実施の形態によれば、輝度補正装置１の制御部１１は、表示画面２Ａ及び表示画面３Ａにターゲットを各々表示させ、ケーブルＣ１を介して輝度計４から輝度値ａ’ ［０］〜ａ’［ｎ−１］及び輝度値ｂ’ ［０］〜ｂ’［ｎ−１］を受信するとともに、表示装置２から輝度値ｐ’［０］〜ｐ’［ｎ−１］を、表示装置３から輝度値ｑ’［０］〜ｑ’［ｎ−１］をネットワークＮを介して受信する。そして、得られた輝度値を元に、補正データ算出プログラムに従って、表示装置毎の輝度変換特性輝度変換特性補正データを生成して表示装置２及び表示装置３に各々送信し、輝度変換特性Ａを補正して輝度変換特性Ａ’に更新し、輝度変換特性Ｚを補正して輝度変換特性Ｚ’に更新する。
【００９７】
これにより、表示装置２及び３の各表示画面２ａ及び３ａにおいて、同一の輝度で画像を表示させることが可能となる。例えばネットワークＮを介して表示装置２及び３が同一の画像データを受信した場合に、同一の輝度によって画像データを表示できるため、画像データの識別をより正確に行うことができる。特に、医用画像等を表示する際に、医師が画像を正しく認識できるため、誤診を防ぐことができる。
【００９８】
［第３の実施の形態］
以下、図を参照して本第３の実施の形態を詳細に説明する。なお、本実施の形態における輝度補正装置１、表示装置２、輝度センサ２ａ、表示装置３、輝度センサ３ａは、第２の実施の形態において説明した、図１に示す同一名称の装置構成と同一であるため、同一の装置、構成部分には同列の符号を付し、重複する説明は省略する。
【００９９】
まず、構成を説明する。
図９は、本第３の実施の形態における輝度補正システム３００の全体構成を示す図である。輝度補正システム３００は、輝度補正装置１、表示装置２、表示装置２の輝度補正用の輝度センサ２ａ、表示装置３、表示装置３の輝度補正用の輝度センサ３ａ、により構成され、輝度補正装置１は、ネットワークＮを介して表示装置２及び表示装置３と相互にデータの送受信が可能なように接続されている。また、表示装置２は、ケーブルＣ２を介して輝度センサ２ａと接続し、表示装置３はケーブルＣ３を介して輝度センサ３ａと接続している。
【０１００】
なお、図９においては、輝度補正装置１と、表示装置２と、輝度センサ２ａと、表示装置３と、輝度センサ３ａとが１台ずつ接続された例を示しているが、各装置の台数は特に限定されない。
【０１０１】
輝度補正装置１は、ネットワークＮを介して接続された表示装置２及び表示装置３の輝度を補正する。具体的には、後述する輝度変換特性補正処理を実行する。輝度補正装置１は、輝度変換特性補正処理において、表示装置２の表示画面２Ａ及び表示装置３の表示画面３Ａの各々に、同一の基準輝度値ｅ’となるようにターゲットを表示させる。その後に、表示画面２Ａ及び表示画面３Ａ表示されたターゲットの輝度が同一となるように、目視により表示装置２及び表示装置３の表示設定を調整する。
【０１０２】
次いで、輝度補正装置１は、目視により調整されたターゲットの輝度を、輝度センサ２ａ及び輝度センサ３ａにより測定し、輝度センサ２ａにより出力される出力値ｔに対応する調整輝度値ｔ’を表示装置２から受信するとともに、輝度センサ３ａにより出力される出力値ｕをに対応する調整輝度値ｕ’を表示装置３から受信する。また、輝度補正装置１は、基準輝度値ｅ’及び調整輝度値ｔ’を元に表示装置２の輝度変換特性Ａを補正する輝度変換特性補正データを生成する。また、基準輝度値ｅ’及び調整輝度値ｕ’を元に、輝度変換特性Ｚを補正する輝度変換特性補正データを算出する。そして、ネットワークＮを介して表示装置２及び表示装置３に輝度変換特性補正データを送信し、表示装置２に予め記憶された輝度変換特性Ａを補正して輝度変換特性Ａ’に更新し、表示装置３に輝度変換特性補正データを送信し、表示装置３に予め記憶された輝度変換特性Ｚを補正して輝度変換特性Ｚ’に更新する。
【０１０３】
ここで、輝度変換特性補正データとは、表示装置２及び表示装置３の輝度変換特性を補正するデータであり、輝度補正装置１からネットワークＮを介して表示装置２及び表示装置３に送信されて、表示装置２の輝度変換特性Ａを補正して輝度変換特性Ａ’に、また表示装置３の輝度変換特性Ｂを補正して輝度変換特性Ｂ’に更新する。この輝度変換特性補正データは、輝度補正装置１により、補正データ算出プログラムに従い、表示装置２において求められる輝度値ｐ’と輝度計４により求められる輝度値ａ’の差分、あるいは表示装置３において求められる輝度値ｑ’と輝度計４により求められる輝度値ｂ’に基づいて算出される。
【０１０４】
表示装置２及び表示装置３は、画像データを表示する表示装置であり、各々表示画面２Ａ及び表示画面３Ａを備え、表示装置２はケーブルＣ２を介して輝度センサ２ａと、また表示装置３はケーブルＣ３を介して輝度センサ３ａと接続する。表示装置２及び表示装置３は、ネットワークＮを介して輝度補正装置１よりターゲット表示を指示するデータを受信すると、各々の表示画面２Ａ及び表示画面３Ａにターゲットを表示させ、目視により表示装置２及び表示装置３において出力される輝度が同一となるように表示設定された状態において、輝度センサ２ａからケーブルＣ２を介して入力される出力値ｔ、及び輝度センサ３ａからケーブルＣ３を介して入力される出力値ｕを各々受信する。
【０１０５】
また、表示装置２は輝度変換特性Ａを記憶し、表示装置３は輝度変換特性Ｚを記憶している。輝度変換特性Ａは、輝度センサ２ａから入力される輝度値ｔと、表示画面２Ａにおいて実際に出力される輝度値とを対応付けて記憶し、輝度変換特性Ｚは、輝度センサ３ａから入力される輝度値ｕと表示画面３Ａにおいて実際に出力される輝度値とを対応付けて記憶している。
【０１０６】
表示装置２は、輝度変換特性Ａを参照して、輝度センサ２ａから取得した出力値ｔに対応する調整輝度値ｔ’を読み出し、ネットワークＮを介して輝度補正装置１に送信する。また、表示装置３は、輝度変換特性Ｚを参照して、輝度センサ３ａから取得した出力値ｕに対応する調整輝度値ｕ’を読み出して、ネットワークＮを介して輝度補正装置１に送信する。また、表示装置２及び表示装置３は、輝度補正装置１による輝度変換特性補正処理において、ネットワークＮを介して輝度補正装置１から輝度変換特性補正データを受信する。これにより、輝度変換特性Ａは輝度変換特性Ａ’により、また、輝度変換特性Ｚは輝度変換特性Ｚ’に各々更新される。
【０１０７】
輝度センサ２ａ及び輝度センサ３ａは、表示装置２及び表示装置３における輝度を測定する受光センサ、受光センサにより得られたアナログデータを増幅する増幅回路、増幅されたアナログデータをデジタル信号化するＡ／Ｄ変換部、デジタル信号化された出力値を出力するＩ／Ｆ部（いずれも図示せず）等を備える。輝度センサ２ａは、表示画面２Ａに実際に表示された輝度を測定し、ケーブルＣ２を介して出力値ｔを表示装置２に送信する。また、輝度センサ３ａは、表示画面３Ａに実際に出力された輝度を測定し、ケーブルＣ３を介して出力値ｕを表示装置３に送信する。
【０１０８】
以下、図を参照して輝度補正装置１の機能的構成を説明する。
図２は、輝度補正装置１の機能的構成を示すブロック図である。図２に示すように、輝度補正装置１は、制御部１１、入力部１２、表示部１３、ＲＡＭ１４、ＲＯＭ１５、記憶部１６、Ｉ／Ｆ１７、通信制御部１８により構成され、各部はバス１９により接続されている。なお、第１の実施の形態における輝度補正装置１の各構成部と同一の機能を有する構成部である入力部１２、表示部１３、ＲＡＭ１４、ＲＯＭ１５、Ｉ／Ｆ１７、通信制御部１８、及びネットワークＮについては、第１の実施の形態における同一構成部と同様の機能を有するため、その詳しい説明を省略する。
【０１０９】
制御部１１は、ＣＰＵ（Central Processing Unit）等により構成され、ＲＯＭ１５に記憶されているシステムプログラムや各種制御プログラムを読み出し、ＲＡＭ１４に展開し、該制御プログラムに従って各部の動作を集中制御する。また、制御部１１は、ＲＡＭ１４に展開したプログラムに従って各種処理を実行し、その処理結果をＲＡＭ１４に一時記憶させるとともに、表示部１３に表示させる。制御部１１は、具体的には、記憶部１６から輝度変換特性補正処理プログラムを読み出して、後述する輝度変換特性補正処理を実行する。
【０１１０】
制御部１１は、輝度変換特性補正処理において、入力部１２から輝度変換特性補正処理を開始する指示データを入力された場合に、記憶部１６から輝度変換特性補正処理プログラム及び補正データ算出プログラムを読み出し、このプログラムに従い、基準輝度値ｅ’［０］〜ｅ’［ｎ−１］と、ネットワークＮを介して表示装置２及び３から受信した調整輝度値ｔ’［０］〜ｔ’［ｎ−１］及び調整輝度値ｕ’［０］〜ｕ’［ｎ−１］とを各々比較し、比較結果を元に表示装置２及び表示装置３の輝度変換特性を補正する輝度変換特性補正データを生成する。そして、ネットワークＮを介して、輝度変換特性補正データを表示装置２及び表示装置３に送信して輝度変換特性Ａを補正して輝度変換特性Ａ’更新し、輝度変換特性Ｚを補正して輝度変換特性Ｚ’に更新する。
【０１１１】
記憶部１６は、輝度変換特性補正処理において利用される輝度変換特性補正処理プログラム、補正データ算出プログラム等を記憶している。
【０１１２】
次いで、図３を参照して、図９に示す表示装置２の機能的構成を説明する。なお、入力部２２、表示部２３、ＲＡＭ２４、ＲＯＭ２５、Ｉ／Ｆ２７、通信制御部２８は、第１の実施の形態における同一構成部と各々同様の機能を有するため、その詳しい説明は省略する。
【０１１３】
制御部２１は、輝度補正装置１からターゲット表示の開始を指示するデータを受信した場合に、記憶部２６からターゲット表示制御テーブル（図５参照）を読み出して、ターゲット出力ステップｉ＝０〜１７（ターゲット出力ステップ総数ｎ＝１８とする）に対応するモニタ駆動値Ｄｉにより順次ターゲットを表示画面２Ａに表示させる。次いで、目視による表示画面２Ａの輝度の観察により、入力部２２から入力される表示設定の変更を指示するデータを取得し、この指示データに従ってターゲットの輝度を変化させて表示画面２Ａに表示させる。
【０１１４】
制御部２１は、目視による輝度の調整後に輝度センサ２ａにより測定された出力値ｔを、ケーブルＣ２を介して輝度センサ２ａから取得し、出力値ｔを元に輝度変換特性Ａを参照して実際に表示画面２Ａにおいて出力された調整輝度値ｔ’を算出し、算出された調整輝度値ｔ’を元に表示装置２における輝度を補正する。
【０１１５】
制御部２１は、通信制御部２８によりネットワークＮを介して輝度補正装置１からの輝度変換特性補正データが入力され、記憶部２６内に記憶された輝度変換特性Ａが輝度変換特性Ａ’に更新されると、この補正日時を記憶部２６に記憶させる。以後、制御部２１は、輝度変換特性Ａ’に基づいて表示装置２の輝度を補正する。また、制御部２１は、通信制御部２８により、輝度補正装置１から受信した輝度変換特性の補正日時データを要求する要求データが入力されると、記憶部２６内に記憶された補正日時データを読み出し、通信制御部２８から輝度補正装置１に送信する。
【０１１６】
記憶部２６は、輝度変換特性Ａやターゲット表示制御テーブル（図５参照）を記憶している。通信制御部２８により、ネットワークＮを介して輝度補正装置１から受信した輝度変換特性補正データが入力されると、輝度変換特性Ａが輝度変換特性Ａ’に更新され、記憶部２６は、輝度変換特性を更新した日時を示す補正日時データを記憶する。
【０１１７】
次いで、図９に示す表示装置３の機能的構成を説明する。なお、表示装置３は表示装置２と同様の機能的構成を有するため、図示を省略し、表示装置２の制御部２１、入力部２２、表示部２３、ＲＡＭ２４、ＲＯＭ２５、記憶部２６、Ｉ／Ｆ２７、通信制御部２８、バス２９、に各々対応する表示装置３における機能的構成部を、制御部３１、入力部３２、表示部３３、ＲＡＭ３４、ＲＯＭ３５、記憶部３６、Ｉ／Ｆ３７、通信制御部３８、バス３９とする。また、これらの各構成部の内、入力部３２、表示部３３、ＲＡＭ３４、ＲＯＭ３５、Ｉ／Ｆ３７、通信制御部３８、バス３９に関しては、表示装置２の入力部２２、表示部２３、ＲＡＭ２４、ＲＯＭ２５、Ｉ／Ｆ２７、通信制御部２８、バス２９と各々同様の機能を有するため、その詳しい説明は省略する。
【０１１８】
制御部３１は、輝度補正装置１からターゲット表示の開始を指示するデータを受信した場合に、記憶部３６からターゲット表示制御テーブル（図５参照）を読み出して、ターゲット出力ステップｉ＝０〜１７（ターゲット出力ステップ総数ｎ＝１８とする）に対応するモニタ駆動値Ｄｉにより順次ターゲットを表示画面３Ａに表示させる。次いで、目視による表示画面３Ａの輝度の観察により、入力部３２から入力される表示設定の変更を指示するデータを取得し、この指示データに従ってターゲットの輝度を変化させて表示画面３Ａに表示させる。
【０１１９】
制御部３１は、目視による輝度の調整後に輝度センサ２ａにより測定された出力値ｕを、ケーブルＣ３を介して輝度センサ３ａから取得し、出力値ｕを元に輝度変換特性Ｚを参照して実際に表示画面３Ａにおいて出力された調整輝度値ｕ’を読み出し、算出された調整輝度値ｕ’を元に表示装置３における輝度を補正する。
【０１２０】
制御部３１は、通信制御部３８により、ネットワークＮを介して輝度補正装置１からの輝度変換特性補正データが入力されると、記憶部３６内に記憶された輝度変換特性Ｚが輝度変換特性Ｚ’に更新され、補正日時を記憶部３６に記憶させる。以後、制御部３１は、輝度変換特性Ｚ’に基づいて表示装置３の輝度補正を行う。また、制御部３１は、通信制御部３８により、輝度補正装置１から受信した輝度変換特性の補正日時データを要求する要求データが入力されると、記憶部３６内に記憶された補正日時データを読み出し、通信制御部３８から輝度補正装置１に送信する。
【０１２１】
記憶部３６は、輝度変換特性Ａやターゲット表示制御テーブル（図５参照）を記憶している。通信制御部３８により、ネットワークＮを介して輝度補正装置１から受信した輝度変換特性補正データが入力され、輝度変換特性Ｚが輝度変換特性Ｚ’に更新されると、記憶部３６は、輝度変換特性を更新した日時を示す補正日時データを記憶する。
【０１２２】
次に、第３の実施の形態による動作を説明する。
動作説明の前提として、図１０のフローチャートに記述されている各処理を実現するためのプログラムは、コンピュータが読み取り可能なプログラムコードの形態で記憶部１６に格納されており、制御部１１は、当該プログラムコードに従った動作を逐次実行する。なお、制御部１１は、第１の実施の形態と同様に、表示装置２におけるターゲットの輝度を順次変化させ、ターゲット出力ステップｉ毎の複数の輝度値を求めることにより輝度変換特性補正データを算出するが、以下、この内容を要約して説明する。
【０１２３】
図１０は、第３の実施の形態における図２の制御部１１による輝度変換特性補正処理を示すフローチャートである。図６に示すように、輝度変換特性補正処理において、制御部１１は、表示装置２及び表示装置３において基準輝度値ｅ’［０］〜ｅ’［ｎ−１］により順次ターゲットを表示させることを指示するデータを表示装置２及び３に送信する（ステップＳ３１）。次いで、制御部１１は、表示装置２から調整輝度値ｔ’［０］〜ｔ’［ｎ−１］を、また、表示装置３からｕ’［０］〜ｕ’［ｎ−１］を受信したか否かを判別する（ステップＳ３２）。
【０１２４】
制御部１１は、ステップＳ３２において、調整輝度値ｔ’［０］〜ｔ’［ｎ−１］及び調整輝度値ｕ’［０］〜ｕ’［ｎ−１］を受信しない場合は（ステップＳ３２；ＮＯ）、受信するまで待機を続け、受信した場合には（ステップＳ３２；ＹＥＳ）、調整輝度値ｔ’［０］〜ｔ’［ｎ−１］及び基準輝度値ｅ’［０］〜ｅ’［ｎ−１］が一致するか否かを更に判別して（ステップＳ３３）、輝度値が一致すると（ステップＳ３３；ＹＥＳ）、ステップＳ３６に移行し、一致しない場合は（ステップＳ３３；ＮＯ）、記憶部１６に記憶された補正データ算出プログラムを読み出し、調整輝度値ｔ’［０］〜ｔ’［ｎ−１］及び基準輝度値ｅ’［０］〜ｅ’［ｎ−１］を元に、輝度変換特性補正データを生成する（ステップＳ３４）。次いで、制御部１１は、ネットワークＮを介して輝度変換特性補正データを表示装置２に送信し、表示装置２に記憶された輝度変換特性Ａを輝度変換特性Ａ’に更新し（ステップＳ３５）、ステップＳ３６に移行する。
【０１２５】
ステップＳ３６において、制御部１１は、調整輝度値ｕ’［０］〜ｕ’［ｎ−１］及び基準輝度値ｅ’［０］〜ｅ’［ｎ−１］とが一致するか否かを判別し、一致する場合は（ステップＳ３６；ＹＥＳ）、輝度変換特性補正処理を終了し、一致しない場合には（ステップＳ３６；ＮＯ）、調整輝度値ｕ’［０］〜ｕ’［ｎ−１］及び基準輝度値ｅ’［０］〜ｅ’［ｎ−１］を元に、補正データ算出プログラムに従って、輝度変換特性Ｚを補正する輝度変換特性補正データを算出する（ステップＳ３７）。次いで、制御部１１は、ネットワークＮを介して輝度変換特性補正データを表示装置３に送信し、表示装置３に記憶されている輝度変換特性Ｚを輝度変換特性Ｚ’に更新し（ステップＳ３８）、輝度変換特性補正処理を終了する。
【０１２６】
以上のように、本第３の実施の形態によれば、輝度補正装置１の制御部１１は、輝度変換特性補正処理において、表示装置２の表示画面２Ａ及び表示装置３の表示画面３Ａにおいて、同一の出力値ｅ’［０］〜ｅ’［ｎ−１］によりターゲットを表示させる。次いで、目視により輝度が調整された状態で調整輝度値ｔ’［０］〜ｔ’［ｎ−１］を表示装置２から、また調整輝度値ｕ’［０］〜ｕ’［ｎ−１］を表示装置３から、ネットワークＮを介して受信する。そして、調整輝度値ｔ’［０］〜ｔ’［ｎ−１］及び調整輝度値ｕ’［０］〜ｕ’［ｎ−１］と、基準輝度値ｅ’［０］〜ｅ’［ｎ−１］とを元に、補正データ算出プログラムに従って各表示装置の輝度変換特性補正データを生成する。そして、ネットワークＮを介して表示装置２及び表示装置３に輝度変換特性補正データを送信し、輝度変換特性Ａを補正して輝度変換特性Ａ’に更新するとともに、表示装置３の輝度変換特性Ｚを補正して輝度変換特性Ｚ’に更新する。
【０１２７】
これにより、表示画面２ａ及び表示画面３ａにおいて同一の画像データを表示させた場合に、実際に表示された画像データを目視で確認する際に同一の輝度と認識されるように表示させることができる。したがって、複数の表示装置において同一の画像データを同一の輝度で観察することができる。
【０１２８】
なお、上記第１の実施の形態において説明した定期輝度補正処理を、上記第２の実施の形態や第３の実施の形態において実行することも可能である。これにより、輝度センサ２ａ及び輝度センサ３ａにおける劣化が原因となって生じる表示装置２及び表示装置３における輝度のずれを補正し、表示画面２Ａ及び表示画面３Ａにおいて出力される輝度を常に正確に維持できる。
【０１２９】
また、上記第１〜第３の実施の形態においては、輝度補正装置１と表示装置２及び３とをネットワークＮを介して接続する構成を説明したが、例えば、輝度補正装置１を表示装置２及び３に内蔵し、表示装置２及び表示装置３にＩ／Ｆ部を設けて輝度計４と接続する構成にして、表示装置２及び表示装置３内で自装置の輝度変換特性Ａ及び輝度変換特性Ｚを各々補正することも可能である。
【０１３０】
また、上記第１〜第３の実施の形態において、輝度補正装置１の細部構成、及び細部動作に関しては、本発明の趣旨を逸脱することのない範囲で適宜変更可能である。
【０１３１】
【発明の効果】
請求項１、５、６、７に記載の発明によれば、表示装置の輝度補正用の輝度センサが劣化して輝度測定レベルにずれが生じた場合にも、表示装置の輝度を正確に補正することができる。
【０１３２】
請求項２記載の発明によれば、表示装置の輝度を定期的に補正し、表示装置の輝度を常に正確に維持することが可能である。
【０１３３】
請求項３記載の発明によれば、複数の表示装置の輝度が同一となるように補正することができる。これにより、異なる複数の表示装置において画像を確認する場合にも、輝度レベルの差が原因で画像の認識を誤ることなく、同一の輝度で画像を観察できる。
【０１３４】
請求項４、８、９、１０に記載の発明によれば、複数の表示装置の輝度が同一となるように目視で調整するため、表示装置を利用する人の視覚に合わせて輝度を設定でき、異なる表示装置においても、視覚的に等しい輝度で画像データを表示することができる。
【図面の簡単な説明】
【図１】輝度補正システム１００の全体構成を示す図である
【図２】図１の輝度補正装置１の機能的構成を示すブロック図である。
【図３】図１の表示装置２の機能的構成を示すブロック図である。
【図４】図４（ａ）は、図２の記憶部２６に記憶された輝度変換特性関数を示す図であり、図４（ｂ）は、輝度変換特性テーブルを示す図である。
【図５】ターゲット出力ステップｉとモニタ駆動値Ｄｉとを対応付けるテーブルである。
【図６】第１の実施の形態における輝度補正装置１による輝度変換特性補正処理を示すフローチャートである。
【図７】輝度補正システム２００の全体構成を示す図である。
【図８】第２の実施の形態における輝度補正装置１による輝度変換特性補正処理を示すフローチャートである。
【図９】輝度補正システム３００の全体構成を示す図である。
【図１０】第３の実施の形態における輝度補正装置１による輝度変換特性補正処理を示すフローチャートである。
【符号の説明】
１  輝度補正装置
２，３  表示装置
２Ａ，３Ａ  表示画面
２ａ，３ａ  輝度センサ
４  輝度計
１１，２１，３１  制御部
１２，２２，３２  入力部
１３，２３，３３  表示部
１４，２４，３４  ＲＡＭ
１５，２５，３５  ＲＯＭ
１６，２６，３６  記憶部
１７，２７，３７  Ｉ／Ｆ
１８，２８，３８  通信制御部
１９，２９，３９  バス
１００，２００，３００  輝度補正システム
Ｃ１，Ｃ２，Ｃ３  ケーブル
Ｎ  ネットワーク
【図１】
0003903808.tif 000002
【図２】
0003903808.tif 000003
【図３】
0003903808.tif 000004
【図４】
0003903808.tif 000005
【図５】
0003903808.tif 000006
【図６】
0003903808.tif 000007
【図７】
0003903808.tif 000008
【図８】
0003903808.tif 000009
【図９】
0003903808.tif 000010
【図１０】
0003903808.tif 000011